(57)【特許請求の範囲】
【請求項１】
平面Ｉ形状断面を有する板材の両端フランジ部を接触させて移動可能に立設した複数の仕切壁体と、当該隣接する仕切壁体のフランジ部間に取付ける折り畳み自在な展開壁体を形成し、上記両端フランジ部を接触させて移動可能に立設した隣接仕切壁体間に形成される内部空間内に上記展開壁体を折り畳んで収納するとともに当該収納した展開壁体の両側端部を対応する隣接仕切壁体の内側フランジ部へそれぞれ連結して形成したことを特徴とするユニット建家。
【請求項２】
上記隣接仕切壁体間に形成される内部空間内に折り畳んで収納した上記展開壁体と、当該展開壁体を連結し移動可能に立設した上記複数の仕切壁体を収納庫に収納するとともに、独立空間の一戸の建家を構成する上記隣接仕切壁体の一方の仕切壁体フランジ部外面に出没可能に形成したストップバーを設け、当該ストップバーは、上記独立空間の組立てられた建家が一戸ずつ順次上記収納庫に設けた開口部から引き出されるように、独立空間の一戸の建家を組立てている途上時には、上記隣接仕切壁体の一方の仕切壁体を上記開口部付近の収納庫内に位置させるように収納庫の開口部周縁部と係合し、かつ独立空間の一戸の建家の組立てが完了した時には、上記収納庫開口部周縁部との係合を離脱解除する構造に形成したことを特徴とする請求項１記載のユニット建家。
【発明の詳細な説明】
【０００１】
【発明の属する技術分野】
この発明は、屋外の催物会場や海水浴場の臨時控室、更衣室、シャワー室等、或は震災時の仮設トイレや一時宿泊室、応急医療室等に使用する仮設施設のユニット建家に関するものである。
【０００２】
【発明が解決しようとする課題】
臨時に形成する囲われた独立空間の仮設施設建家は、屋外の催物会場や海水浴場等では、控室、更衣室、シャワー室、休息室等に、或は震災等の災害発生時には、仮設トイレや一時宿泊室、応急医療室等の多種用途に、ある一定期間設置して使用されている。
【０００３】
これらの仮設建家は、ユニット状の個別建物を専門家が現地で組立てたり、解体するように作られているため、震災等の緊急時に多数の建物を素人の被災者が短期間に組立てたり、解体することが難しく、時には建物の部品等を紛失し組立てられないこともあった。
【０００４】
また、素人が組立て容易な膜材を用いたテント等の仮設建家は、プライバシーを確保した独立空間の建家等に不適、特に仮設トイレ等では遮音性が悪く、膜材に人影が映ること等を敬遠し、好まれなかった。
【０００５】
この発明は上述の問題等を解決するためになされたもので、素人でも簡単に遮音性、遮光性に優れ、プライバシーの確保された独立空間の多数の仮設建家を短時間に組立てることができるとともに、コンパクトで搬送も容易なユニット建家を提供するものである。
【０００６】
【課題を解決するための手段】
この発明のユニット建家は、平面Ｉ形状断面を有する板材の両端フランジ部を接触させて移動可能に立設した複数の仕切壁体と、その隣接する仕切壁体のフランジ部間に取付ける折り畳み自在な展開壁体を形成し、両端フランジ部を接触させて移動可能に立設した隣接仕切壁体間に形成される内部空間内に展開壁体を折り畳んで収納するとともにその収納した展開壁体の両側端部を対応する隣接仕切壁体の内側フランジ部へそれぞれ連結して形成するものである。
【０００７】
上記のように仕切壁体と展開壁体を形成し、最外部の仕切壁体をその仕切壁体のウェブ面と直交する方向に引っ張ると、隣接仕切壁体間の内部空間内に折り畳んで収納された展開壁体が仕切壁体に引っ張られて展開し、仕切壁体と展開した展開壁体とで囲まれた独立空間の建家が順次組立てられるユニット建家に形成する。
【０００８】
更に、隣接仕切壁体間に形成される内部空間内に折り畳んで収納した展開壁体と、その展開壁体を連結し移動可能に立設した複数の仕切壁体を収納庫に収納するとともに、独立空間の一戸の建家を構成する隣接仕切壁体の一方の仕切壁体フランジ部外面に出没可能に形成したストップバーを設け、そのストップバーは、独立空間の組立てられた建家が一戸ずつ順次上記収納庫に設けた開口部から引き出されるように、独立空間の一戸の建家を組立てている途上時には、隣接仕切壁体の一方の仕切壁体を開口部付近の収納庫内に位置させるように収納庫の開口部周縁部と係合し、かつ独立空間の一戸の建家の組立てが完了した時には、収納庫開口部周縁部との係合を離脱解除する構造に形成するものである。
【０００９】
上記のように出没可能なストップバーを隣接する仕切壁体の一方の仕切壁体に設けるとともにそのストップバーと係合及び離脱関係を有する開口部を設けた収納庫に、折り畳んだ展開壁体を連結した複数の仕切壁体を収納して形成し、隣接する仕切壁体とその隣接仕切壁体間に取付けた折り畳み自在な展開壁体とで囲まれた独立空間の建家の一戸を収納庫から引き出しながら組立て、組立完了した一戸を更に引き出すと同時に次の一戸を引き出しながら組立て、順次一戸ずつ引き出しながら組立てて、隣接する仕切壁体とその隣接仕切壁体間に展開した展開壁体とで囲まれた独立空間の組立てられた建家が一戸ずつ順次収納庫に設けた開口部から隣接する仕切壁体の他方の仕切壁体の更なる引き出しとともに引き出されていくように形成する。
【００１０】
【発明の実施の形態】
この発明の実施の形態例を図１及至図４の図面に基づいて説明する。
図１は、この発明に係るユニット建家の一例であり、図２は、図１のユニット建家を組立てた状態を示す。図３は、収納庫から引き出して組立てた屋根付きユニット建家を示し、図４は、収納庫からユニット建家を引き出している状態を示す。
【００１１】
図中１は、遮音性、遮光性に優れた材料、例えば木製板、プラスチックボード、金属板、コンクリート板、或は合板等の材料で平面Ｉ形状断面の板材に形成した仕切壁体である。図１及び図４に示したように、隣接する仕切壁体１、１・・・との間に内部空間１Ｓ、１Ｓ・・・を形成する如く鍔状のフランジ部１Ｆ、１Ｆ・・・を接触させ、フランジ部１Ｆ、１Ｆを接続するウェブ１Ｗの面を平行させて並列し、移動可能に立設して形成する。
【００１２】
なお、最外部に位置する仕切壁体１は、隣接する仕切壁体１との間に内部空間１Ｓが形成される如く内側のみにフランジ部１Ｆを設けた平面コの字状断面を有する板材で形成し、外方への鍔の張り出しをなくして、安全で、外観よく、経済的な形状に形成しても良い。
【００１３】
図中２は、内部空間１Ｓ内に折り畳んで収納した展開壁体である。図示のように、２枚以上の遮音性、遮光性に優れた材料、例えば木製板、プラスチックボード、金属板、或は合板等の板材からなる平板状板材をヒンジ等の折り畳み及び展開可能な継手２Ｊで連結した壁体に形成するとともにその壁体の両側端部を通しピンヒンジ等の回動可能な継手２Ｃ、２Ｃで対応する隣接仕切壁体１、１の内側フランジ部１Ｆ、１Ｆへそれぞれ連結して形成するか、又は図示は省略するが、折り畳んで嵩ばらず、持ち運び移動のしやすい軽量な合成樹脂材製の膜、カンバス布製の膜等の一枚の膜材を、屏風状又は下部を開口して天井を覆うようなコの字蛇腹状の折り畳み及び展開可能な形状の壁体に形成するとともにその壁体の両側端部を対応する隣接仕切壁体１、１の内側フランジ部１Ｆ、１Ｆへ抑え板を介したビス止め、又は接着等でそれぞれ連結して形成する。
【００１４】
上述のように、隣接する仕切壁体１、１・・・との間の内部空間１Ｓ、１Ｓ・・・内に展開壁体２、２・・・を折り畳んで収納するとともにその展開壁体２、２・・・の両側端部を対応する隣接仕切壁体１、１・・・の内側フランジ部１Ｆ、１Ｆ・・・へそれぞれ連結して形成し、最外部の仕切壁体１をその仕切壁体ウェブ１Ｗの面と直交する方向に引っ張ると、連結された展開壁体２、２が引っ張られて展開し、隣接する仕切壁体１、１とその隣接する仕切壁体１、１間に取付けて展開した両側の展開壁体２、２で囲まれた独立空間３の建家が順次組立られていくように形成する。
【００１５】
このように組立てた複数の独立空間３、３・・・からなるユニット建家は、隣接建家との間に遮光性、遮音性に優れた仕切壁体１を設けているため、隣接建家からの音や光、影等が気にならず、プライバシーの確保された快適な独立空間３を有する建家となり、仮設トイレや更衣室、応急医療室等に最適な仮設施設とすることができる。また、このユニット建家は、最外部仕切壁体１を一方向に引き出すのみで順次連結した状態で一戸ずつ組立てられていくため、素人でも簡単に多数の建家を短時間に組立てることができる。解体作業も逆の手順の一方向に引き出す方向と反対の方向に最外部仕切壁体１を押し込むことで簡単に素人でも行えるため、移動設置も簡単で、震災時等の臨時施設に適した仮設建家として使用することができる。
【００１６】
また、ユニット建家の組立部品は、隣接仕切壁体１、１間に形成される内部空間１Ｓ内に全て収納されているため、組立場所への搬送時や組立時に建家の部品等を紛失したり、損傷することもなく、コンパクトで搬送も容易に行うことができる。更に、仕切壁体１を発泡コンクリート材等の耐火性材料で形成すれば、内部空間１Ｓ内に収納した展開壁体２は仕切壁体１によって保護されるため、震災時に併発しやすい火災による焼失から内部空間１Ｓ内に収納した展開壁体２を護ることができ、防災用品に適した建家とすることができる。
【００１７】
なお、最外部仕切壁体１に把手１Ｈを設け、仕切壁体１、１・・・の下端部に車輪（図示省略）を取り付けたり、その車輪用の案内レール（図示省略）を設けると、仕切壁体１の引っ張り移動作業が容易になる。また、最外部仕切壁体１の両側下端部に地面固定用の張り出し及び収納自在なアンカー４Ｅを取付け、中間の仕切壁体１、１・・・には、必要に応じて下方に押し出し、地面に固定するアンカー４Ｍを仕切壁体１下端内部に収納して設けておけば、組立後の建家移動や転倒等を簡単、かつ確実に防止でき、より安全な建家にすることができる。
【００１８】
また、独立空間３の建家を形成する展開壁体２には、図２及び図３に示したようなヒンジ等の折り畳み及び展開可能な継手２Ｊを兼用してコンパクトで組立容易に形成したノブ５Ｎ付き平板状のドア５、又は開閉自在なファスナー等を取り付けて接続した膜材製のドア（図示省略）等のドアを設け、建家の独立空間３への出入り口を形成する。
【００１９】
また、隣接する仕切壁体１、１とその隣接する仕切壁体１、１間に取付けて展開した展開壁体２、２で囲まれた独立空間３の天頂部６には、独立空間３が形成された後から、自然光の採光性に優れた透明又は半透明のプラスチックボードの平板や膜材等を載置して被覆したり（図示省略）、図３に示したように、自然光の採光性に優れた透明又は半透明の合成樹脂材等の平板や膜材等を用いて前述の展開壁体２と同様な折り畳み及び展開自在な機構を有する壁体を形成し、かつ仕切壁体１の引っ張り移動とともに独立空間３の天頂部６が被覆されていくように仕切壁体１の頂部に連結して形成した一連の壁体等によって被覆したりして、屋根６Ｒを必要に応じて設ける。この屋根６Ｒを設けるにあたり、独立空間３の建家を形成する両側展開壁体２、２の一方側の展開壁体２を他方側より高くして設ければ、流水勾配が得られ、滞留させることなく雨水を流すことができる。
【００２０】
また、図示は省略するが、隣接する仕切壁体１、１とその隣接仕切壁体１、１間に展開した展開壁体２、２で囲まれた独立空間３が形成される場所に、蓋を取付けた排便・排尿用の開口孔を設けた便槽をあらかじめ埋設しておくと、災害応急時等の仮設トイレを容易、かつ短時間に形成することができる。
【００２１】
さらに、隣接仕切壁体１、１・・・間に形成される内部空間１Ｓ、１Ｓ・・・内に折り畳んで収納した展開壁体２、２・・・と、その展開壁体２、２・・・を連結し移動可能に立設した複数の仕切壁体１、１・・・を収納庫８に収納し、最初に収納庫８の開口部８Ｏから引き出される最外部の仕切壁体１を除く仕切壁体１、１・・・には、その仕切壁体両端フランジ部１Ｆ、１Ｆの両外面にストップバー７、７を設け、そのストップバー７は展開壁体２の展開又は隣接する仕切壁体１との間の隔接間隔拡大に連動して内側に向けて引き込まれる出没可能な構造に形成する。
【００２２】
更に、このストップバー７は、ストップバー７の突出時には収納庫８に設けた開口部８Ｏの周縁部に係合し、引き込み時には開口部８Ｏ周縁部との係合が離脱し解除する構造に形成するとともに、収納庫８に設ける開口部８Ｏの大きさも、ストップバー７との上記係合関係が可能な大きさに形成する。なお、図示におけるストップバー７は、仕切壁体１の上下左右４箇所から張り出して設けているが、上部左右２箇所或は下部左右いずれか１箇所等、開口部８Ｏの周縁部形状に合わせて、設置個数は増減してもよい。
【００２３】
ヒンジ等の継手２Ｊで平板状板材を連結した展開壁体２を取付けた仕切壁体１に設けるストップバー７としては、詳細図は省略するが、例えば丸棒や角棒等の一方端部を仕切壁体フランジ部１Ｆの内側から外側に向けて貫通して延出し、他方端部は回動可能な継手２Ｃを軸として回動する平板状板材からなる展開壁体２の端部にスプリングを介し押圧接触させて形成し、展開壁体２の回動展開と連動して展開壁体２の端部に接触していたストップバー７の他方端部がスプリング力で内方に移動し、かつ突出していたストップバー７の一方端部が、仕切壁体フランジ部１Ｆ外面から内側に向けて引き込まれる出没可能な構造に形成する。
【００２４】
また、前述の図示を省略した膜材からなる展開壁体を取付けた仕切壁体１に設けるストップバー７としては、同じく詳細図は省略するが、例えば丸棒や角棒等の一方端部を仕切壁体フランジ部１Ｆの内側から外側に向けて貫通して延出し、かつ他方端部は外側に隣接して先に引き出される仕切壁体１にワイヤーや連結棒等を介して連結し、外側に隣接する仕切壁体１との隔接間隔拡大に連動してストップバー７の他方端部がワイヤーや連結棒等を介して内方に引かれて移動し、かつ突出していたストップバー７の一方端部が、仕切壁体フランジ部１Ｆ外面から内側に向けて引き込まれる出没可能な構造に形成する。
【００２５】
なお、上記ストップバー７の実施形態例は、その一例を示すものであり、例えばヒンジ等の継手２Ｊで平板状板材を連結した展開壁体２を取付けた仕切壁体１に設けるストップバー７は、外側に隣接する仕切壁体１との隔接間隔拡大に連動するストップバー７の、上記膜材からなる展開壁体を取付けた仕切壁体１に設けたストップバー７の構造を採用してもよく、また、カム機構等を組合せてコンパクトな構造に形成してもよい。つまり、仕切壁体フランジ部１Ｆの外面から突出して設けたストップバー７が展開壁体２の展開又は隣接する仕切壁体１との間の隔接間隔拡大を、変位検出し連動して内側に向けて引き込まれる機構を設けたストップバー７に形成すればよい。
【００２６】
収納庫８は、突出時のストップバー７には係合し、引き込み時のストップバー７には離脱して係合関係を解除する前述した大きさの開口部８Ｏを形成し、かつ折り畳んだ展開壁体２、２・・・を内部空間１Ｓ、１Ｓ・・・内に収納した仕切壁体１、１・・・を収容できる大きさの直方六面体壁状の移動容器又は固定建家に形成する。また、その内部には、仕切壁体フランジ部１Ｆの外面から外側に延出したストップバー７を下から支えるバー状の案内ガイド８Ｇを設け、仕切壁体１のウェブ１Ｗの面に直交する方向へ仕切壁体１、１・・・を移動しやすいように形成する。
【００２７】
上記のようにストップバー７、７・・・を最初に引き出される仕切壁体１を除く仕切壁体１、１・・・に設けるとともにその仕切壁体１、１・・・の収納とその引き出しを行う開口部８Ｏを設けた収納庫８に、折り畳んだ展開壁体２、２・・・を連結した仕切壁体１、１・・・収納して形成し、最外部の第１番目の仕切壁体１を開口部８Ｏから外に引き出すと、その仕切壁体１の引き出しに連動して最外部の仕切壁体１に連結した展開壁体２が収納庫８の外で展開し、最外部の仕切壁体１と最外部の内側に位置し収納庫８内に位置する第２番目の仕切壁体１との間の隔接間隔が拡大して最外部の第１番目の建家がまず組立てられ、その組立てと同時に、最外部の仕切壁体１に連結した展開壁体２、２の展開又は最外部の仕切壁体１との隔接間隔拡大に連動して収納庫開口部８Ｏと係合関係にあった第２番目の仕切壁体フランジ部１Ｆ外面に突出したストップバー７が内側に引き込まれて第２番目の仕切壁体１が開口部８Ｏから引き出し可能となり、さらに引き出しを行うと、第２番目の仕切壁体１の引き出しに連動して第２番目の展開壁体２が収納庫８の外で展開し、第２番目の仕切壁体１とその内側に位置し収納庫８内に位置する第３番目の仕切壁体１との間の隔接間隔が拡大して第２番目の建家が組立てられ、その組立てと同時に、第２番目の仕切壁体１と連結した展開壁体２、２の展開又は第２番目の仕切壁体１との隔接間隔拡大に連動して収納庫開口部８Ｏと係合関係にあった第３番目の仕切壁体フランジ部１Ｆ外面に突出したストップバー７が内側に引き込まれて第３番目の仕切壁体１が開口部８Ｏから引き出し可能となるように、収納庫開口部８Ｏと係合関係にあったストップバー７、７・・・が一戸毎の建家組立てとともに順次引き込まれて収納庫開口部８Ｏとの係合関係が一戸毎に順次外れ、隣接仕切壁体１、１と展開した展開壁体２、２で囲まれた独立空間３の建家が一戸毎順次組立てられ、組立てられた建家が仕切壁体１、１・・・の引き出しとともに一戸ずつ順次収納庫開口部８Ｏから引き出されていくように形成する。
【００２８】
このように収納庫８に収納して形成したユニット建家は、必要な戸数分だけ必要に応じて簡単に引き出して組立てることができ、かつ仕切壁体１の引き出しとともに一戸づつ建家が組立てられ、組立てられた独立空間３の建家が順次収納庫開口部８Ｏから引き出されるため、組立作業中に仕切壁体１が転倒する等の心配もなく、安全にだれでも簡単に組立てることができる。
【００２９】
なお、収納庫８の開口部８Ｏには、収納庫８へ展開壁体２、２・・・を連結した仕切壁体１、１・・・を収納する時には突出したストップバー７、７・・・に抵触することなく内側へ回動し、ストップバー７が引き込まれていない状態で仕切壁体１を収納庫８から引き出そうとする際にはストップバー７の突出部に係合するような回動自在な細長い壁、或は延出及び引き込み自在に取付けた板材（図示省略）等で形成したストッパー８Ｓを収納庫開口部８Ｏの周縁部両サイドに取付けておけば、収納庫８への収納作業を容易に行うことができる。
【００３０】
また、図３及び図４の収納庫８は、開口部８Ｏを一方向のみの１箇所に設けているが、開口部８Ｏを対称位置の反対側にも設け、二方向から両端最外部の仕切壁体１、１を引き出せるように形成すれば、建家の組立をより早く行うことができる。
【００３１】
また、収納庫８に収納したユニット建家は、コンパクトに収納されているため、海水浴場等の季節毎に繰り返し使用する場所、或は防災計画上必要とされる場所等に固定設置したとしてもスペースをあまりとらず、建家不使用時には建家展開場所を他の用途、例えば駐輪場等に使用できるので、土地の有効活用を図ることができる。
【００３２】
【発明の効果】
この発明のユニット建家は、上述のように、遮音性、遮光性に優れた平面Ｉ形状断面を有する板材からなる仕切壁体をその両端フランジ部を接触させて移動可能に立設し、その隣接仕切壁体間の内部空間内に隣接仕切壁体へそれぞれ連結した折り畳み自在な展開壁体を収納して形成しているので、最外部仕切壁体の引き出しのみで、素人でも短時間に簡単、かつ容易に多数の建家を組立てることができる。また、展開壁体を展開して組立てた独立空間の建家は、遮音性、遮光性に優れ、プライバシーが確保された建家とすることができる。更に、部品等を紛失することもなく、コンパクトで搬送も容易に行うことができる。
【００３３】
また、前述のようにストップバーを仕切壁体に設けるとともに、そのストップバーの突出時には係合し、ストップバーの引き込み時には係合関係が離脱解除する大きさの開口部を設けた収納庫に収納して形成したユニット建家の発明は、必要とする戸数の建家を必要に応じて、一戸づつ安全かつ容易に組立てることができる。
【００３４】
【図面の簡単な説明】
【図１】この発明に係るユニット建家の一実施の形態例を一部省略し、簡略化して示す部分斜視説明図である。
【図２】図１のユニット建家を組立てた状態を一部省略し、簡略化して示す部分斜視説明図である。
【図３】収納庫から引出して組立てた屋根付きユニット建家の一実施の形態例を一部省略し、簡略化して示す全体斜視説明図である。
【図４】収納状態から引き出しているユニット建家の一実施の形態例を一部省略し、簡略化して示す平断面説明図である。
【符号の説明】
１  仕切壁体    １Ｓ  内部空間
１Ｆ  フランジ部  １Ｗ  ウェブ      １Ｈ  把手
２  展開壁体    ２Ｊ  継手        ２Ｃ  継手
３  独立空間
４Ｅ  アンカー    ４Ｍ  アンカー
５  ドア        ５Ｎ  ノブ
６  天頂部      ６Ｒ  屋根
７  ストップバー
８  収納庫      ８Ｏ  開口部      ８Ｇ  案内ガイド    ８Ｓ  ストッパー
【図１】
0003564674.tif 000002
【図２】
0003564674.tif 000003
【図３】
0003564674.tif 000004
【図４】
0003564674.tif 000005